(57)【特許請求の範囲】
【請求項１】
情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、
第１の通信装置に接続されたセンサを有し、第１の通信装置から主通信装置へ送信する情報はセンサの出力に応じた情報であり、
第２の通信装置に外部機器が接続され、受信した情報に基づいて外部機器を制御することを特徴とする情報伝送システム。
【請求項２】
前記センサが温度センサからなるとともに、前記外部機器が空調機器からなり、前記第１の通信装置から前記主通信装置の前記記憶手段を介して前記第２の通信装置へ伝送される温度情報に基づいて前記第２の通信手段が空調機器へ空調機器制御信号を与えることを特徴とする請求項１記載の情報伝送システム。
【請求項３】
情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、
主通信装置は、記憶手段に記憶した情報を所定時間が経過すると消去することを特徴とする情報伝送システム。
【請求項４】
情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、
主通信装置は、記憶手段に記憶した情報を送信した後に消去することを特徴とする情報伝送システム。
【請求項５】
情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、
第２の通信装置には外部機器として電気錠が接続され、第１の通信装置には電気錠に対応付けられた鍵情報を記憶した鍵管理装置が接続され、人体が第１の接触部に接触したときに第１の通信装置から主通信装置へ送信される情報が鍵情報であり、人体が第２の接触部に接触したときに第２の通信装置が主通信装置から鍵情報を受信して電気錠へ電気錠制御信号を与えることを特徴とする情報伝送システム。
【請求項６】
情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、
主通信装置は、電極として、人体に装着したときに人体に直接接触し、人体を介して大地と電気的に接続される接地電極と、接地電極と離間して配置され、人体に直接接触する信号電極とを備え、第１の接触部若しくは第２の接触部と信号電極との間の人体経路と、接地電極と人体と、大地若しくは第１の通信装置或いは第２の通信装置側のグランドとの経路で信号伝送路を形成することを特徴とする情報伝送システム。
【請求項７】
前記第１の通信装置と前記第２の通信装置との少なくとも一方に外部機器が接続され、受信した情報に基づいて外部機器を制御することを特徴とする請求項３または４または６記載の情報伝送システム。
【請求項８】
前記主通信装置にはあらかじめ識別情報が設定されており、前記主通信装置は、前記人体が前記第１の接触部に接触すると前記第１の通信装置へ識別情報を送信し、前記第１の通信装置は、前記主通信装置からの識別情報が第１の規定条件を満たしたときに前記主通信装置へ情報を送信し、さらに、前記第２の通信装置には、あらかじめ他の識別番号が設定されており、前記第２の通信装置は、前記人体が前記第２の接触部に接触すると前記主通信装置へ他の識別番号を送信し、前記主通信装置は、前記第２の通信装置からの他の識別番号が第２の規定条件を満たしたときに前記第２の通信装置へ情報を送信することを特徴とする請求項３または５記載の情報伝送システム。
【請求項９】
前記第２の通信装置に、前記人体が前記第２の接触部に接触したときに前記主通信装置へ情報を送信する手段を付加するとともに、前記第１の通信装置に、前記人体が前記第１の接触部に接触したときに前記主通信装置から情報を受信する手段を付加し、前記第２の通信装置から前記主通信装置の記憶手段を介して前記第１の通信装置へ情報を伝送可能としてなることを特徴とする請求項４または６記載の情報伝送システム。
【請求項１０】
前記第２の通信装置は、前記主通信装置から受信した情報に基づいて前記主通信装置へ送信する情報を生成する情報処理手段を有することを特徴とする請求項９記載の情報伝送システム。
【発明の詳細な説明】
【０００１】
【発明の属する技術分野】
本発明は、情報伝送システムに関するものである。
【０００２】
【従来の技術】
従来から、同一建物内などでネットワークを介して情報の伝送を行うことが各所で行われている。
【０００３】
【発明が解決しようとする課題】
しかしながら、ネットワークを構築することができない場合や、費用や物理的な広さなどからネットワークを構築するほどでもないが情報のやりとりを頻繁に行う必要がある場合などには、ネット−ワークを構築する場合に比べて簡便かつ確実に情報の伝送を行えるようにすることが要望されている。
【０００４】
本発明は上記事由に鑑みて為されたものであり、その目的は、ネットワークを構築することなく、簡便かつ確実に情報を伝送することができる情報伝送システムを提供することにある。
【０００５】
【課題を解決するための手段】
請求項１の発明は、上記目的を達成するために、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、第１の通信装置に接続されたセンサを有し、第１の通信装置から主通信装置へ送信する情報はセンサの出力に応じた情報であり、第２の通信装置に外部機器が接続され、受信した情報に基づいて外部機器を制御することを特徴とするものであり、人体に装着された主通信装置の記憶手段を介して第１の通信装置から第２の通信装置へ情報が伝送されるから、ネットワークを構築する場合に比べて簡便かつ確実に情報を伝送することが可能になり、しかも、第１の通信装置および第２の通信装置の設置場所や設置数の変更が容易になる。さらに、外部機器を制御するための情報を手操作で入力する必要がなく外部機器を容易に制御することができる。その上、前記人体が前記第１の接触部および前記第２の接触部に触れるような簡単な行為により、センサの出力に応じて外部機器を制御することができる。
【０００６】
請求項２の発明は、請求項１の発明において、前記センサが温度センサからなるとともに、前記外部機器が空調機器からなり、前記第１の通信装置から前記主通信装置の前記記憶手段を介して前記第２の通信装置へ伝送される温度情報に基づいて前記第２の通信手段が空調機器へ空調機器制御信号を与えるので、ネットワークを構築することなく複数の温度センサの出力に基づいた空調機器の制御が可能となる。
【０００７】
請求項３の発明は、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、主通信装置は、記憶手段に記憶した情報を所定時間が経過すると消去することを特徴とするものであり、人体に装着された主通信装置の記憶手段を介して第１の通信装置から第２の通信装置へ情報が伝送されるから、ネットワークを構築する場合に比べて簡便かつ確実に情報を伝送することが可能になり、しかも、第１の通信装置および第２の通信装置の設置場所や設置数の変更が容易になる。さらに、記憶手段に記憶した情報の漏洩を防止することができ、情報のセキュリティを高めることができる。
【０００８】
請求項４の発明は、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、主通信装置は、記憶手段に記憶した情報を送信した後に消去することを特徴とするものであり、人体に装着された主通信装置の記憶手段を介して第１の通信装置から第２の通信装置へ情報が伝送されるから、ネットワークを構築する場合に比べて簡便かつ確実に情報を伝送することが可能になり、しかも、第１の通信装置および第２の通信装置の設置場所や設置数の変更が容易になる。さらに、記憶手段に記憶した情報の漏洩を防止することができ、情報のセキュリティを高めることができる。
【０００９】
請求項５の発明は、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、第２の通信装置には外部機器として電気錠が接続され、第１の通信装置には電気錠に対応付けられた鍵情報を記憶した鍵管理装置が接続され、人体が第１の接触部に接触したときに第１の通信装置から主通信装置へ送信される情報が鍵情報であり、人体が第２の接触部に接触したときに第２の通信装置が主通信装置から鍵情報を受信して電気錠へ電気錠制御信号を与えることを特徴とするものであり、人体に装着された主通信装置の記憶手段を介して第１の通信装置から第２の通信装置へ情報が伝送されるから、ネットワークを構築する場合に比べて簡便かつ確実に情報を伝送することが可能になり、しかも、第１の通信装置および第２の通信装置の設置場所や設置数の変更が容易になる。さらに、鍵を持たなくても前記主通信装置を装着していれば複数の人が電気錠の設置された部屋や入室することが可能となり、利便性が向上する。
【００１０】
請求項６の発明は、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、主通信装置は、電極として、人体に装着したときに人体に直接接触し、人体を介して大地と電気的に接続される接地電極と、接地電極と離間して配置され、人体に直接接触する信号電極とを備え、第１の接触部若しくは第２の接触部と信号電極との間の人体経路と、接地電極と人体と、大地若しくは第１の通信装置或いは第２の通信装置側のグランドとの経路で信号伝送路を形成することを特徴とするものであり、人体に装着された主通信装置の記憶手段を介して第１の通信装置から第２の通信装置へ情報が伝送されるから、ネットワークを構築する場合に比べて簡便かつ確実に情報を伝送することが可能になり、しかも、第１の通信装置および第２の通信装置の設置場所や設置数の変更が容易になる。さらに、主通信装置を小型にでき、且つ、情報伝送の信頼性を高めることができる。
【００１１】
請求項７の発明は、請求項３または４または６の発明において、前記第１の通信装置と前記第２の通信装置との少なくとも一方に外部機器が接続され、受信した情報に基づいて外部機器を制御するので、外部機器を制御するための情報を手操作で入力する必要がなく外部機器を容易に制御することができる。
【００１２】
請求項８の発明は、請求項３または５の発明において、前記主通信装置にはあらかじめ識別情報が設定されており、前記主通信装置は、前記人体が前記第１の接触部に接触すると前記第１の通信装置へ識別情報を送信し、前記第１の通信装置は、前記主通信装置からの識別情報が第１の規定条件を満たしたときに前記主通信装置へ情報を送信し、さらに、前記第２の通信装置には、あらかじめ他の識別番号が設定されており、前記第２の通信装置は、前記人体が前記第２の接触部に接触すると前記主通信装置へ他の識別番号を送信し、前記主通信装置は、前記第２の通信装置からの他の識別番号が第２の規定条件を満たしたときに前記第２の通信装置へ情報を送信するので、システムのセキュリティを高めることができる。
【００１３】
請求項９の発明は、請求項４または６の発明において、前記第２の通信装置に、前記人体が前記第２の接触部に接触したときに前記主通信装置へ情報を送信する手段を付加するとともに、前記第１の通信装置に、前記人体が前記第１の接触部に接触したときに前記主通信装置から情報を受信する手段を付加し、前記第２の通信装置から前記主通信装置の記憶手段を介して前記第１の通信装置へ情報を伝送可能としてあるので、前記第１の通信装置と前記第２の通信装置との間で前記主通信装置を介して双方向通信を行うことができる。
【００１４】
請求項１０の発明は、請求項９の発明において、前記第２の通信装置は、前記主通信装置から受信した情報に基づいて前記主通信装置へ送信する情報を生成する情報処理手段を有するので、前記第２の通信装置の情報処理手段にて生成した情報が前記第２の通信装置へ伝送されるから、前記第１の通信装置の構成を簡略化することができ、前記第１の通信装置を複数設けるような場合に低コスト化を図ることができる。
【００１６】
【発明の実施の形態】
（実施形態１）
本実施形態では、食肉などの商品を計り売りする店舗において適用する例について説明する。本実施形態の情報伝送システムでは、図１に示すように、店員（人体Ｍ）が装着する主通信装置（携帯型通信装置）１０と、店内に設置される複数の第１の通信装置２０と、店内に設置される第２の通信装置３０とを設け、操作部（図示せず）により入力された商品の種別（例えば、「バラ肉」、「鶏モモ肉」などの肉の種別）と計量した重量に応じて計算した値段の情報（以下、値段情報と称す）が第１の通信装置２０へ読み取られる複数の計量装置４０を第１の通信装置２０毎に接続し、第２の通信装置３０には後述の金銭計算器（以下、レジと称す）５０を接続してある。
【００１７】
ここにおいて、主通信装置１０は、情報を記憶する記憶手段として記憶部１４（図２参照）を備えており、主通信装置１０を装着している人体Ｍが第１の通信装置２０に設けた接触部である接触電極２１（図３参照）に接触したときに、第１の通信装置２０から送信された値段情報を受信して記憶部１４に記憶し、その後、主通信装置１０を装着している人体Ｍが第２の通信装置３０に設けた接触部である接触電極３１（図４参照）に接触したときに、記憶部１４に記憶していた値段情報を第２の通信装置３０へ送信するようにしたものである。
【００１８】
なお、主通信装置１０は、記憶部１４には複数の値段情報を記憶することができるようになっており、１ないし複数の第１の通信装置２０から複数の値段情報を受信した後に、これら複数の値段情報を第２の通信装置３０へ送信することができるようにしてある。また、第１の通信装置２０および第２の通信装置３０の数は特に限定するものではなく、店舗の規模や費用などに応じて適宜設定すればよく、いずれも１つでもよいし複数でもよい。
【００１９】
第２の通信装置３０は、主通信装置１０から送信された値段情報を受信すると、値段情報をレジ５０へ送信するようにしてあり、レジ５０では受信した値段情報に基づいて最終的に顧客に要求する金銭を計算して、表示ないし印刷するようになっている。
【００２０】
本実施形態においては、主通信装置１０と第１の通信装置２０および第２の通信装置３０との間で伝送されるデータは搬送波に交流信号を用いて変調されている。主通信装置１０は、図５に示すように腕時計型の筐体Ａを有し、主通信装置１０を装着したときに筐体Ａの一面が人体Ｍに直接接触する。主通信装置１０は、図２に示すように、筐体Ａにおいて人体Ｍに直接接触する面に設けた２つの通信用電極１１，１２を備えており、通信用電極１１と通信用電極１２とはデータ通信部１３に接続されている。データ通信部１３は、値段情報（データ）を変調した変調信号を信号受信器１３ａにて受信して復調器１３ｂにて復調し、復調された値段情報をマイクロコンピュータからなる制御部１５を通して不揮発性メモリからなる記憶部１４に記憶させる。ここに、記憶部１４は、主通信装置１０から第２の通信装置３０へ値段情報を送信し終えるまでは、値段情報を記憶容量の限度内で蓄積する。つまり、記憶部１４には複数個の値段情報が蓄積可能である。なお、主通信装置１０の電源としては電池１６を用いている。
【００２１】
記憶部１４に書き込まれた値段情報は、上述のように、主通信装置１０を装着している人体Ｍが第２の通信装置３０に設けた接触電極３１に接触したときに、制御部１５によって読み出され、伝送路の少なくとも一部に人体Ｍを用いてデータ通信部１３から第２の通信装置３０へ送信される。ここに、データ通信部１３は、記憶部１４から制御部１５を介して入力された値段情報を変調器１３ｃにて変調し、変調された値段情報を信号送信器１３ｄから送信用電極１１，１２を通して送信する。なお、データ通信部１３は、第１の通信装置２０からのデータ（変調された値段情報）を受信する機能と第２の通信装置３０へデータ（変調した値段情報）を送信する機能とを備えているから、２つの通信用電極１１，１２のうちの一方の通信用電極１１を信号受信器１３ａと信号送信器１３ｄとのいずれか一方に選択的に接続する信号切替部１３ｅが設けられている。また、通信用電極１２とグランドとの間には制御部１５によってオンオフされるスイッチ１３ｆが挿入されており、情報を受信する際にはスイッチ１３ｆがオンされて通信用電極１２がグランドと接続され、情報を送信する際にはスイッチ１３ｆがオフされる。また、記憶部１４に蓄積された値段情報は制御部１５にて読み出された後に消去される。なお、本実施形態では、通信用電極１１，１２が情報の入出力用の電極を構成している。
【００２２】
ところで、第１の通信装置２０は、計量装置４０から値段情報を受信する必要があるから、図３に示すように、計量装置４０との接続のためのインタフェイス２５が設けられており、インタフェイス２５を介して計量装置４０からの値段情報をマイクロコンピュータからなる制御部２３が読み込むようになっている。また、第１の通信装置２０は、上述の接触電極２１を備えるとともに、計量装置４０から読み込んだ値段情報を接触電極２１を介して送信するデータ通信部２２や、グランド（回路グランド若しくは第１の通信装置２０の筐体若しくは外部導体など）に接続することが可能な接地端子２６（図６参照）を備えている。なお、大地と接続するための接地端子２６は必ずしも設ける必要はなく、接地端子２６を設けない場合は容量結合が中心となる。また、第１の通信装置２０の電源としては電池２４を用いている。
【００２３】
データ通信部２２は、制御部２３と接触電極２１との間に設けられており、制御部２３にて計量装置４０から読み込んだ値段情報を変調器２２ａにて変調し、変調された値段情報を信号送信器２２ｂから接触電極２１を介して送信するようになっている。
【００２４】
上述した主通信装置１０と第１の通信装置２０とは、図６に示すように、主通信装置１０を通信用電極（信号電極）１１が手首側に位置し通信用電極（接地電極）１２が肩側になるように人体Ｍに装着しておき、第１の通信装置２０に設けた接触電極２１に人体Ｍの指先や手を接触すると、通信用電極１１と接触電極２１との間の人体Ｍが伝送路として機能し、通信用電極１２と接地端子２６との間は人体Ｍを含むインピーダンスＺｘ（通信用電極１２と人体Ｍとの界面のインピーダンスＺ１＋人体ＭのインピーダンスＺ２＋人体Ｍと接地端子２６との間のインピーダンスＺ３（容量成分Ｃｘ））を介して結合されることになる。つまり、主通信装置１０と第１の通信装置２０との間にはインピーダンスＺｘの比較的小さいループ状の経路が形成され、第１の通信装置２０から送信される変調信号を主通信装置１０において受信することが可能になる。容量成分Ｃｘは接地端子２６と人体Ｍとの距離や周囲環境によって大きく変動し、また伝送路のインピーダンスＺｘは容量成分Ｃｘの大きさだけではなく人体Ｍでの発汗の程度によっても大きく変化するから、人体Ｍに流れる電流の上限が例えば５００μＡよりも小さくなるように設計される。なお、本実施形態では、上述のような経路で信号伝送路が形成されるので、主通信装置１０を小型にでき、且つ、情報伝送の信頼性を高めることができる。
【００２５】
ここにおいて、容量成分Ｃｘの一方の電極として人体Ｍを用いることになるから、接地端子２６に接続される導電体の面積を一定とすれば、通信用電極１２が人体Ｍに直接接触していない場合に比較すると通信用電極１２と人体Ｍとの界面のインピーダンスＺ１が小さくなることにより通信用電極１２と接地端子２６との間のインピーダンスＺｘが小さくなり、結果的に第１の通信装置２０は比較的小さいエネルギで主通信装置１０に対して値段情報を伝送することが可能になる。
【００２６】
また、第２の通信装置３０は、値段情報をレジ５０へ送信する必要があるから、図４に示すように、レジ５０との接続のためのインタフェイス３６が設けられており、接触電極３１およびデータ通信部３２を介してマイクロコンピュータからなる制御部３３が受信した値段情報を記憶部３５へ書き込み全ての値段情報の書き込みが終了した後、記憶部３５に記憶していた値段情報をインタフェイス３６を介してレジ５０へ送信するようになっている。また、第２の通信装置３０は、値段情報を保持する不揮発性メモリからなる記憶部３５、グランド（回路グランド若しくは第２の通信装置３０の筐体若しくは外部導体など）に接続される接地端子（図示せず）を備えている。なお、大地と接続するための接地端子は必ずしも設ける必要はなく、接地端子を設けない場合は容量結合が中心となる。また、第２の通信装置３０の電源としては電池３４を用いている。
【００２７】
また、主通信装置１０と第２の通信装置３０とは、上述のように主通信装置１０を通信用電極（信号電極）１１が手首側に位置し通信用電極（接地電極）１２が肩側になるように人体Ｍに装着しておき、第２の通信装置３０に設けた接触電極３１に人体Ｍの指先や手を接触すると、通信用電極１１と接触電極３１との間の人体Ｍが伝送路として機能し、通信用電極１２と上記接地端子との間は人体Ｍを含むインピーダンスＺｘ（通信用電極１２と人体Ｍとの界面のインピーダンスＺ１＋人体ＭのインピーダンスＺ２＋人体Ｍと上記接地端子との間のインピーダンスＺ３（容量成分Ｃｘ））を介して結合されることになる。つまり、主通信装置１０と第２の通信装置３０との間にはインピーダンスＺｘの比較的小さいループ状の経路が形成され、主通信装置１０から送信される変調信号を第２の通信装置３０において受信することが可能になる。容量成分Ｃｘは接地端子と人体Ｍとの距離や周囲環境によって大きく変動し、また伝送路のインピーダンスＺｘは容量成分Ｃｘの大きさだけではなく人体Ｍでの発汗の程度によっても大きく変化するから、人体Ｍに流れる電流の上限が例えば５００μＡよりも小さくなるように設計される。
【００２８】
以上説明した本実施形態の情報伝送システムの動作を簡単にまとめると以下のようになる。まず、計量装置４０の計り皿に適当な量の肉を載せてから肉の種別を入力すると、計量装置４０において肉の重量が計量されて、肉の種別と計量結果とで決まる値段が計算され、計量装置４０から第１の通信装置２０へ値段の情報（値段情報）が送信される。その後、主通信装置１０を装着した店員（人体Ｍ）が接触電極２１に接触すると（例えば、指先を触れると）、第１の通信装置２０から主通信装置１０へ値段情報が伝送され、主通信装置１０の記憶部１４に値段情報が記憶される。購入希望の商品（肉）の値段情報を主通信装置１０の記憶部１４に記憶させ終えた後、第１の通信装置２０から離れた場所に設置されている第２の通信装置３０のところへ主通信装置１０を装着した店員（人体Ｍ）が移動し、この店員が接触電極３１に接触すると（例えば、指先が触れると）、主通信装置１０から第２の通信装置３０へ値段情報が伝送される。主通信装置１０から第２の通信装置３０への値段情報の伝送が終了すると、第２の通信装置３０からレジ５０へ値段情報が送信され、最終的に顧客に請求する金銭がレジ５０にて計算されるのである。
【００２９】
しかして、本実施形態の情報伝送システムでは、人体Ｍに装着された主通信装置１０の記憶部１４を介して第１の通信装置２０から第２の通信装置３０へ情報が伝送されるから、ネットワークを構築する場合に比べて簡便かつ確実に情報を伝送することが可能になる。したがって、値段の人為的な入力ミスを防ぐことができる。また、計量装置４０自体は値段情報を出力するだけなので、複数の計量装置４０を設けてレジ５０で集中計算するシステムの容易な構築が可能となる。また、第１の通信装置２０および第２の通信装置３０の設置場所や設置数の変更が容易になるという利点がある。
【００３０】
（実施形態２）
本実施形態では、複数の部屋の鍵を一括して管理するために鍵ボックスが設置されているビルなどにおいて適用する例について説明する。本実施形態の情報伝送システムでは、図７に示すように、人体Ｍが装着する主通信装置１０と、複数の鍵ボックスを一括管理する鍵管理装置６０の鍵ボックス毎に設置される複数の第１の通信装置２０と、部屋の出入口のドア７０に設置される第２の通信装置３０とを設けてあり、第２の通信装置３０にはドア７０に設けた電気錠７１（図９参照）を接続してある。
【００３１】
ここにおいて、主通信装置１０の構成は実施形態１と同じであって、情報を記憶する記憶手段として記憶部１４（図２参照）を備えており、主通信装置１０を装着している人体Ｍが第１の通信装置２０に設けた接触部である接触電極２１（図８参照）に接触したときに、第１の通信装置２０から送信された情報（鍵情報）を受信して記憶部１４に記憶し、その後、主通信装置１０を装着している人体Ｍが第２の通信装置３０に設けた接触部である接触電極３１（図９参照）に接触したときに、記憶部１４に記憶していた鍵情報を第２の通信装置３０へ送信するようにしたものである。第２の通信装置３０は、主通信装置１０から送信された鍵情報を受信すると、受信した鍵情報がその部屋の鍵情報と一致するか判断し、一致した場合のみ電気錠７１へ電気錠制御信号を与え、電気錠７１の鍵を開錠させる。図７において示した矢印は人体Ｍが第１の通信装置２０の設置場所の近傍から第２の通信装置３０の設置場所の近傍へ移動したことを示している。なお、電気錠７１としてはオートロック式のものを用い開錠の場合のみ鍵情報が一致するか判断し、施錠は自動的に行われるようにしてあるが、オートロック式のものではなくて、鍵情報が一致した場合のみ電気錠７１の閉錠を行うようにしてもよい。また、ドアの内側にも接触電極３１を設けておき、鍵情報が一致した場合のみ電気錠７１へ電気錠制御信号を与え、電気錠の鍵を開錠させるようにしてもよい。
【００３２】
なお、本実施形態では、人体Ｍに装着される主通信装置１０に記憶部１４が設けられ、鍵ボックスに対応付けて配置された接触電極２１を備える第１の通信装置２０から主通信装置１０に対して鍵情報が伝送されるように構成された例を示しているが、主通信装置１０を装着した人体Ｍが接触電極２１に接触したときに、まず主通信装置１０から当該主通信装置１０にあらかじめ設定されている識別情報（識別データ）を第１の通信装置２０に対して送信し、第１の通信装置２０において識別番号が規定条件を満たしたとき（鍵情報を与えてもよいと判断した場合）のみ鍵情報を第１の通信装置２０から主通信装置１０へ伝送する方式を採用してもよく、この方式を採用すれば、各部屋のセキュリティを高めることができる。また、第２の通信装置３０は、人体Ｍが接触電極３１に接触すると主通信装置１０へ他の識別番号を送信し、主通信装置１０は、第２の通信装置３０からの他の識別番号が規定条件を満たしたときに第２の通信装置３０へ情報を送信するようにすれば、システムのセキュリティを高めることができる。
【００３３】
本実施形態においては、実施形態１と同様、主通信装置１０と第１の通信装置２０および第２の通信装置３０との間で伝送されるデータは搬送波に交流信号を用いて変調されている。主通信装置１０は、図５に示すように腕時計型の筐体Ａを有し、主通信装置１０を装着したときに筐体Ａの一面が人体Ｍに直接接触する。主通信装置１０は、図２に示すように、筐体Ａにおいて人体Ｍに直接接触する面に設けた２つの通信用電極１１，１２を備えており、通信用電極１１と通信用電極１２とはデータ通信部１３に接続されている。データ通信部１３は、鍵情報（データ）を変調した変調信号を信号受信器１３ａにて受信して復調器１３ｂにて復調し、復調された鍵情報をマイクロコンピュータからなる制御部１５を通して不揮発性メモリからなる記憶部１４に記憶させる。なお、主通信装置１０の電源としては電池１６を用いている。
【００３４】
記憶部１４に書き込まれた鍵情報は、上述のように、主通信装置１０を装着している人体Ｍが第２の通信装置３０に設けた接触電極３１に接触したときに、制御部１５によって読み出され、伝送路の少なくとも一部に人体Ｍを用いてデータ通信部１３から第２の通信装置３０へ送信される。ここに、データ通信部１３は、記憶部１４から制御部１５を介して入力された鍵情報を変調器１３ｃにて変調し、変調された鍵情報を信号送信器１３ｄから送信用電極１１，１２を通して送信する。なお、データ通信部１３は、第１の通信装置２０からのデータ（変調された鍵情報）を受信する機能と第２の通信装置３０へデータ（変調した鍵情報）を送信する機能とを備えているから、２つの通信用電極１１，１２のうちの一方の通信用電極１１を信号受信器１３ａと信号送信器１３ｄとのいずれか一方に選択的に接続する信号切替部１３ｅが設けられている。また、通信用電極１２とグランドとの間には制御部１５によってオンオフされるスイッチ１３ｆが挿入されており、情報を受信する際にはスイッチ１３ｆがオンされて通信用電極１２がグランドと接続され、情報を送信する際にはスイッチ１３ｆがオフされる。また、制御部１５は、記憶部１４に記憶された鍵情報を所定時間後に消去する（つまり、鍵情報を所定時間だけ保持した後に消去する）ようにしてあるので、鍵情報が意図しない場所や時間に流出する（漏洩）のを防止することができ、セキュリティを高めることができる。また、室内から自由に出ることができるようにした場合には、鍵情報を第２の通信装置３０へ伝送した後に、鍵情報を消去するようにしてもよく、このようにしてもセキュリティを高めることができる。なお、本実施形態では、通信用電極１１，１２が情報の入出力用の電極を構成している。
【００３５】
ところで、第１の通信装置２０は、鍵管理装置６０から鍵情報を受信する必要があるから、図８に示すように、鍵管理装置６０との接続のためのインタフェイス２５が設けられており、インタフェイス２５を介して鍵管理装置６０からの鍵情報をマイクロコンピュータからなる制御部２３が読み込むようになっている。また、第１の通信装置２０は、上述の接触電極２１を備えるとともに、鍵管理装置６０から読み込んだ鍵情報を接触電極２１を介して送信するデータ通信部２２や、グランド（回路グランド若しくは第１の通信装置２０の筐体若しくは外部導体など）に接続することが可能な接地端子（図示せず）を備えている。なお、大地と接続するための接地端子は必ずしも設ける必要はなく、接地端子を設けない場合は容量結合が中心となる。なお、第１の通信装置２０の電源としては電池２４を用いている。
【００３６】
データ通信部２２は、制御部２３と接触電極２１との間に設けられており、制御部２３にて鍵管理装置６０から読み込んだ鍵情報を変調器２２ａにて変調し、変調された鍵情報を信号送信器２２ｂから接触電極２１を介して送信するようになっている。
【００３７】
上述した主通信装置１０と第１の通信装置２０とは、実施形態１と同様、図６に示すように、主通信装置１０を通信用電極（信号電極）１１が手首側に位置し通信用電極（接地電極）１２が肩側になるように人体Ｍに装着しておき、第１の通信装置２０に設けた接触電極２１に人体Ｍの指先や手を接触すると、通信用電極１１と接触電極２１との間の人体Ｍが伝送路として機能し、通信用電極１２と接地端子２６との間は人体Ｍを含むインピーダンスＺｘ（通信用電極１２と人体Ｍとの界面のインピーダンスＺ１＋人体ＭのインピーダンスＺ２＋人体Ｍと接地端子２６との間のインピーダンスＺ３（容量成分Ｃｘ））を介して結合されることになる。つまり、主通信装置１０と第１の通信装置２０との間にはインピーダンスＺｘの比較的小さいループ状の経路が形成され、第１の通信装置２０から送信される変調信号を主通信装置１０において受信することが可能になる。容量成分Ｃｘは接地端子２６と人体Ｍとの距離や周囲環境によって大きく変動し、また伝送路のインピーダンスＺｘは容量成分Ｃｘの大きさだけではなく人体Ｍでの発汗の程度によっても大きく変化するから、人体Ｍに流れる電流の上限が例えば５００μＡよりも小さくなるように設計される。
【００３８】
また、第２の通信装置３０は、鍵情報を電気錠７１へ送信する必要があるから、図９に示すように、電気錠７１との接続のためのインタフェイス３６が設けられており、接触電極３１およびデータ通信部３２を介してマイクロコンピュータからなる制御部３３が受信した鍵情報をインタフェイス３６を介して電気錠７１へ送信するようになっている。なお、第２の通信装置３０の電源としては電池３４を用いている。
【００３９】
また、主通信装置１０と第２の通信装置３０とは、上述のように主通信装置１０を通信用電極（信号電極）１１が手首側に位置し通信用電極（接地電極）１２が肩側になるように人体Ｍに装着しておき、第２の通信装置３０に設けた接触電極３１に人体Ｍの指先や手を接触すると、通信用電極１１と接触電極３１との間の人体Ｍが伝送路として機能し、通信用電極１２と上記接地端子との間は人体Ｍを含むインピーダンスＺｘ（通信用電極１２と人体Ｍとの界面のインピーダンスＺ１＋人体ＭのインピーダンスＺ２＋人体Ｍと上記接地端子との間のインピーダンスＺ３（容量成分Ｃｘ））を介して結合されることになる。つまり、主通信装置１０と第２の通信装置３０との間にはインピーダンスＺｘの比較的小さいループ状の経路が形成され、主通信装置１０から送信される変調信号を第２の通信装置３０において受信することが可能になる。容量成分Ｃｘは接地端子と人体Ｍとの距離や周囲環境によって大きく変動し、また伝送路のインピーダンスＺｘは容量成分Ｃｘの大きさだけではなく人体Ｍでの発汗の程度によっても大きく変化するから、人体Ｍに流れる電流の上限が例えば５００μＡよりも小さくなるように設計される。
【００４０】
以上説明した本実施形態の情報伝送システムの動作を簡単にまとめると以下のようになる。まず、主通信装置１０を装着した人体Ｍが接触電極２１に接触すると（例えば、指先を触れると）、第１の通信装置２０から主通信装置１０へ鍵情報が伝送され、主通信装置１０の記憶部１４に鍵情報が記憶される。その後、第１の通信装置２０から離れた場所に設置されている第２の通信装置３０のところへ主通信装置１０を装着した人体Ｍが移動し、接触電極３１に接触すると（例えば、指先が触れると）、主通信装置１０から第２の通信装置３０へ鍵情報が伝送される。第２の通信装置３０は主通信装置１０から送信された鍵情報を受信すると、受信した鍵情報がその部屋の鍵情報と一致するか判断し、一致した場合のみ電気錠７１へ電気錠制御信号を与え、電気錠７１の鍵を開錠させるのである。
【００４１】
しかして、本実施形態の情報伝送システムにおいても、実施形態１と同様、人体Ｍに装着された主通信装置１０の記憶部１４を介して第１の通信装置２０から第２の通信装置３０へ情報が伝送されるから、ネットワークを構築する場合に比べて簡便かつ確実に情報を伝送することが可能になる。
【００４２】
また、誰かが鍵を持ち出したまますぐにドアを開かなかったり、鍵を他の場所に忘れたりして、他の人が部屋に入れないということが起こるのを防止することができ、利便性が高くなる。
【００４３】
なお、本実施形態では、第１の通信装置２０を鍵の個数に比例して複数設けているが、鍵の種類に対応した複数の接触電極を１つの第１の通信装置２０に接続し、どの接触電極に接触したかを第１の通信装置２０が検知して検知結果に応じた鍵情報を出力するような構成を採用すれば、第１の通信装置２０が１つでよいので、さらに低コスト化を図ることができる。このような構成を採用する場合、鍵に対応する識別情報を送るためのスイッチと接触電極とを一体化してもよい（例えば、各接触電極それぞれの下にスイッチを設けておき、接触電極に接触したときにスイッチが同時に押されるような構造としてもよい）し、鍵に対応するスイッチを押してから別に設けた接触電極を触るようにしてもよい。
【００４４】
（実施形態３）
本実施形態では、店舗などにおいて商品陳列棚に温度センサが設置され温度センサの出力（検出温度）に基づいて空調機器を制御する例について説明する。本実施形態の情報伝送システムでは、図１０に示すように、店員（人体Ｍ）が装着する主通信装置１０と、店内に設置される複数の第１の通信装置２０と、店内に設置される第２の通信装置３０とを設け、商品陳列棚に設置された複数の温度センサ８０を第１の通信装置２０毎に接続して、温度センサ８０による検出温度からなる情報（以下、温度情報と称す）が第１の通信装置２０へ取り込まれるようにし、第２の通信装置３０には空調機器９０を接続してある。
【００４５】
ここにおいて、主通信装置１０の構成は実施形態１と同じであって、情報を記憶する記憶手段として記憶部１４（図２参照）を備えており、主通信装置１０を装着している人体Ｍが第１の通信装置２０に設けた接触部である接触電極２１（図１１参照）に接触したときに、第１の通信装置２０から送信された温度情報を受信して記憶部１４に記憶し、その後、主通信装置１０を装着している人体Ｍが第２の通信装置３０に設けた接触部である接触電極３１（図１２参照）に接触したときに、記憶部１４に記憶していた温度情報を第２の通信装置３０へ送信するようにしたものである。
【００４６】
なお、主通信装置１０は、記憶部１４には複数の温度情報を記憶することができるようになっており、１ないし複数の第１の通信装置２０から複数の温度情報を受信した後に、これら複数の温度情報を第２の通信装置３０へ送信することができるようにしてある。また、第１の通信装置２０および第２の通信装置３０の数は特に限定するものではなく、店舗の規模や費用などに応じて適宜設定すればよく、いずれも１つでもよいし複数でもよい。
【００４７】
第２の通信装置３０は、主通信装置１０から送信された温度情報を受信すると、１ないし複数の温度情報に基づいて空調機器制御信号を作成して空調機器９０へ送信するようにしてあり、空調機器９０では受信した空調機器制御信号に基づいて店内の温度を調節するようになっている。
【００４８】
本実施形態においては、実施形態１と同様、主通信装置１０と第１の通信装置２０および第２の通信装置３０との間で伝送されるデータは搬送波に交流信号を用いて変調されている。主通信装置１０は、図５に示すように腕時計型の筐体Ａを有し、主通信装置１０を装着したときに筐体Ａの一面が人体Ｍに直接接触する。主通信装置１０は、図２に示すように、筐体Ａにおいて人体Ｍに直接接触する面に設けた２つの通信用電極１１，１２を備えており、通信用電極１１と通信用電極１２とはデータ通信部１３に接続されている。データ通信部１３は、値段情報（データ）を変調した変調信号を信号受信器１３ａにて受信して復調器１３ｂにて復調し、復調された値段情報をマイクロコンピュータからなる制御部１５を通して不揮発性メモリからなる記憶部１４に記憶させる。ここに、記憶部１４は、第１の通信装置２０から主通信装置１０へ温度情報を送信し終えるまでは、温度情報を記憶容量の限度内で蓄積する。つまり、記憶部１４には複数個の温度情報が蓄積可能である。なお、主通信装置１０の電源としては電池１６を用いている。
【００４９】
記憶部１４に書き込まれた温度情報は、上述のように、主通信装置１０を装着している人体Ｍが第２の通信装置３０に設けた接触電極３１に接触したときに、制御部１５によって読み出され、伝送路の少なくとも一部に人体Ｍを用いてデータ通信部１３から第２の通信装置３０へ送信される。ここに、データ通信部１３は、記憶部１４から制御部１５を介して入力された温度情報を変調器１３ｃにて変調し、変調された温度情報を信号送信器１３ｄから送信用電極１１，１２を通して送信する。なお、データ通信部１３は、第１の通信装置２０からのデータ（変調された温度情報）を受信する機能と第２の通信装置３０へデータ（変調した温度情報）を送信する機能とを備えているから、２つの通信用電極１１，１２のうちの一方の通信用電極１１を信号受信器１３ａと信号送信器１３ｄとのいずれか一方に選択的に接続する信号切替部１３ｅが設けられている。また、通信用電極１２とグランドとの間には制御部１５によってオンオフされるスイッチ１３ｆが挿入されており、情報を受信する際にはスイッチ１３ｆがオンされて通信用電極１２がグランドと接続され、情報を送信する際にはスイッチ１３ｆがオフされる。また、記憶部１４に蓄積された温度情報は制御部１５にて読み出された後に消去される。なお、本実施形態では、通信用電極１１，１２が情報の入出力用の電極を構成している。
【００５０】
ところで、第１の通信装置２０は、温度センサ８０から温度情報を受信する必要があるから、図１１に示すように、温度センサ８０との接続のためのインタフェイス２５が設けられており、インタフェイス２５を介して温度センサ８０からの温度情報をマイクロコンピュータからなる制御部２３が読み込むようになっている。また、第１の通信装置１０は、上述の接触電極２１を備えるとともに、温度センサ８０から読み込んだ温度情報を接触電極２１を介して送信するデータ通信部２２や、グランド（回路グランド若しくは第１の通信装置２０の筐体若しくは外部導体など）に接続することが可能な接地端子（図示せず）を備えている。なお、大地と接続するための接地端子は必ずしも設ける必要はなく、接地端子を設けない場合は容量結合が中心となる。なお、第１の通信装置２０の電源としては電池２４を用いている。
【００５１】
データ通信部２２は、制御部２３と接触電極２１との間に設けられており、制御部２３にて温度センサ８０から読み込んだ温度情報を変調器２２ａにて変調し、変調された温度情報を信号送信器２２ｂから接触電極２１を介して送信するようになっている。
【００５２】
上述した主通信装置１０と第１の通信装置２０とは、実施形態１と同様、図６に示すように、主通信装置１０を通信用電極（信号電極）１１が手首側に位置し通信用電極（接地電極）１２が肩側になるように人体Ｍに装着しておき、第１の通信装置２０に設けた接触電極２１に人体Ｍの指先や手を接触すると、通信用電極１１と接触電極２１との間の人体Ｍが伝送路として機能し、通信用電極１２と接地端子２６との間は人体Ｍを含むインピーダンスＺｘ（通信用電極１２と人体Ｍとの界面のインピーダンスＺ１＋人体ＭのインピーダンスＺ２＋人体Ｍと接地端子２６との間のインピーダンスＺ３（容量成分Ｃｘ））を介して結合されることになる。つまり、主通信装置１０と第１の通信装置２０との間にはインピーダンスＺｘの比較的小さいループ状の経路が形成され、第１の通信装置２０から送信される変調信号を主通信装置１０において受信することが可能になる。容量成分Ｃｘは接地端子２６と人体Ｍとの距離や周囲環境によって大きく変動し、また伝送路のインピーダンスＺｘは容量成分Ｃｘの大きさだけではなく人体Ｍでの発汗の程度によっても大きく変化するから、人体Ｍに流れる電流の上限が例えば５００μＡよりも小さくなるように設計される。
【００５３】
また、第２の通信装置３０は、空調機器制御信号を空調機器９０へ送信する必要があるから、図１２に示すように、空調機器９０との接続のためのインタフェイス３６が設けられており、接触電極３１およびデータ通信部３２を介してマイクロコンピュータからなる制御部３３が受信した温度情報を記憶部３５へ書き込み全ての温度情報の書き込みが終了した後、制御部３３が記憶部３５に記憶していた温度情報に基づいて空調機器制御信号を作成しインタフェイス３６を介して空調機器９０へ送信するようになっている。また、第２の通信装置３０は、グランド（回路グランド若しくは第２の通信装置３０の筐体若しくは外部導体など）に接続することが可能な接地端子（図示せず）を備えている。なお、大地と接続するための接地端子は必ずしも設ける必要はなく、接地端子を設けない場合は容量結合が中心となる。なお、第２の通信装置３０の電源としては電池３４を用いている。
【００５４】
また、主通信装置１０と第２の通信装置３０とは、上述のように主通信装置１０を通信用電極（信号電極）１１が手首側に位置し通信用電極（接地電極）１２が肩側になるように人体Ｍに装着しておき、第２の通信装置３０に設けた接触電極３１に人体Ｍの指先や手を接触すると、通信用電極１１と接触電極３１との間の人体Ｍが伝送路として機能し、通信用電極１２と上記接地端子との間は人体Ｍを含むインピーダンスＺｘ（通信用電極１２と人体Ｍとの界面のインピーダンスＺ１＋人体ＭのインピーダンスＺ２＋人体Ｍと上記接地端子との間のインピーダンスＺ３（容量成分Ｃｘ））を介して結合されることになる。つまり、主通信装置１０と第２の通信装置３０との間にはインピーダンスＺｘの比較的小さいループ状の経路が形成され、主通信装置１０から送信される変調信号を第２の通信装置３０において受信することが可能になる。容量成分Ｃｘは接地端子と人体Ｍとの距離や周囲環境によって大きく変動し、また伝送路のインピーダンスＺｘは容量成分Ｃｘの大きさだけではなく人体Ｍでの発汗の程度によっても大きく変化するから、人体Ｍに流れる電流の上限が例えば５００μＡよりも小さくなるように設計される。
【００５５】
以上説明した本実施形態の情報伝送システムの動作を簡単にまとめると以下のようになる。まず、主通信装置１０を装着した店員（人体Ｍ）が接触電極２１に接触すると（例えば、指先を触れると）、第１の通信装置２０から主通信装置１０へ温度センサ８０の出力に応じた温度情報が伝送され、主通信装置１０の記憶部１４に温度情報が記憶される。所望の温度センサ８０の温度情報を主通信装置１０の記憶部１４に記憶させ終えた後、第１の通信装置２０から離れた場所に設置されている第２の通信装置３０のところへ主通信装置１０を装着した店員（人体Ｍ）が移動し、この店員（人体Ｍ）が接触電極３１に接触すると（例えば、指先が触れると）、主通信装置１０から第２の通信装置３０へ温度情報が伝送される。主通信装置１０から第２の通信装置３０への温度情報の伝送が終了すると、第２の通信装置３０において空調機器制御信号が作成されて空調機器制御信号が空調機器９０へ送信され、空調機器９０による温度の調節がなされるのである。
【００５６】
しかして、本実施形態の情報伝送システムでは、人体Ｍに装着された主通信装置１０の記憶部１４を介して第１の通信装置２０から第２の通信装置３０へ情報が伝送されるから、ネットワークを構築する場合に比べて簡便かつ確実に情報を伝送することが可能になる。要するに、主通信装置１０を装着した店員（人体Ｍ）が第１の通信装置２０の接触電極２１へ接触した後に第２の通信装置３０の接触電極３１へ接触することにより、商品陳列棚付近の温度が調節されるので、店員の簡易な行為で温度調節が可能となるのである。
【００５７】
（実施形態４）
本実施形態では、花や野菜などの植物を扱う店舗などにおいて花のショーウィンドウないし野菜の陳列棚に湿度センサが設置され湿度センサの出力（検出湿度）に基づいて噴霧器を制御する例について説明する。本実施形態の情報伝送システムでは、図１３に示すように、店員（人体Ｍ）が装着する主通信装置１０と、店内に設置される第１の通信装置２０と、店内に設置される第２の通信装置３０とを設け、湿度センサ１００および噴霧器１１０を第１の通信装置２０に接続して、湿度センサ１００による検出湿度からなる情報（以下、湿度情報と称す）が第１の通信装置２０へ読み込まれるようにし、第２の通信装置３０には湿度情報に基づいて噴霧器１１０を制御するための制御情報を作成する信号処理手段３７を設けてある。また、本実施形態では、第１の通信装置２０に主通信装置１０から情報を受信する手段を設けて主通信装置１０と第１の通信装置２０との間で双方向の通信を可能とし、第２の通信装置２０に主通信装置１０へ情報を送信する手段を設けて主通信装置１０と第２の通信装置３０との間でも双方向の通信を可能としてある。
【００５８】
ここにおいて、主通信装置１０の構成は実施形態１と同じであって、情報を記憶する記憶手段として記憶部１４（図２参照）を備えており、主通信装置１０を装着している人体Ｍが第１の通信装置２０に設けた接触部である接触電極２１（図１４参照）に接触したときに、第１の通信装置２０から送信された湿度情報を受信して記憶部１４に記憶し、その後、主通信装置１０を装着している人体Ｍが第２の通信装置３０に設けた接触部である接触電極３１（図１５参照）に接触したときに、記憶部１４に記憶していた湿度情報を第２の通信装置３０へ送信するようにしたものである。
【００５９】
なお、主通信装置１０は、記憶部１４には複数の湿度情報を記憶することができるようになっており、１ないし複数の第１の通信装置２０から複数の湿度情報を受信した後に、これら複数の湿度情報を第２の通信装置３０へ送信することができるようにしてある。また、第１の通信装置２０および第２の通信装置３０の数は特に限定するものではなく、店舗の規模や費用などに応じて適宜設定すればよく、いずれも１つでもよいし複数でもよい。
【００６０】
第２の通信装置３０は、人体Ｍが接触電極３１に接触すると、主通信装置１０から送信された湿度情報を受信し、１ないし複数の湿度情報に基づいて噴霧器１１０を制御するための制御情報を作成して制御情報を主通信装置１０へ送信するようにしてある。その後、人体Ｍが第１の通信装置２０の接触電極２１に接触すると、主制御装置１０から第１の通信装置２０へ制御情報が送信され、第１の通信装置２０では受信した制御情報に基づいて噴霧器１１０を制御するための噴霧器制御信号を作成して噴霧器１１０へ送信し噴霧器１１０の噴霧量を調節するようになっている。
【００６１】
本実施形態においては、実施形態１と同様、主通信装置１０と第２の通信装置２０および第２の通信装置３０との間で伝送されるデータは搬送波に交流信号を用いて変調されている。主通信装置１０は、図５に示すように腕時計型の筐体Ａを有し、主通信装置１０を装着したときに筐体Ａの一面が人体Ｍに直接接触する。主通信装置１０は、図２に示すように、筐体Ａにおいて人体Ｍに直接接触する面に設けた２つの通信用電極１１，１２を備えており、通信用電極１１と通信用電極１２とはデータ通信部１３に接続されている。データ通信部１３は、情報（湿度情報ないし制御情報）を変調した変調信号を信号受信器１３ａにて受信して復調器１３ｂにて復調し、復調された情報をマイクロコンピュータからなる制御部１５を通して不揮発性メモリからなる記憶部１４に記憶させる。ここに、記憶部１４は、第１の通信装置２０から主通信装置１０へ湿度情報を送信し終えるまでは、湿度情報を記憶容量の限度内で蓄積する。つまり、記憶部１４には複数個の湿度情報が蓄積可能である。なお、主通信装置１０の電源としては電池１６を用いている。
【００６２】
記憶部１４に書き込まれた湿度情報は、上述のように、主通信装置１０を装着している人体Ｍが第２の通信装置３０に設けた接触電極３１に接触したときに、制御部１５によって読み出され、伝送路の少なくとも一部に人体Ｍを用いてデータ通信部１３から第２の通信装置３０へ送信される。ここに、データ通信部１３は、記憶部１４から制御部１５を介して入力された湿度情報を変調器１３ｃにて変調し、変調された湿度情報を信号送信器１３ｄから送信用電極１１，１２を通して送信する。なお、データ通信部１３は、第１の通信装置２０および第２の通信装置３０からの各情報を受信する機能と第１の通信装置２０および第２の通信装置３０へ情報を送信する機能とを備えているから、２つの通信用電極１１，１２のうちの一方の通信用電極１１を信号受信器１３ａと信号送信器１３ｄとのいずれか一方に選択的に接続する信号切替部１３ｅが設けられている。また、通信用電極１２とグランドとの間には制御部１５によってオンオフされるスイッチ１３ｆが挿入されており、情報を受信する際にはスイッチ１３ｆがオンされて通信用電極１２がグランドと接続され、情報を送信する際にはスイッチ１３ｆがオフされる。また、記憶部１４に蓄積された情報は制御部１５にて読み出された後に消去される。なお、本実施形態では、通信用電極１１，１２が情報の入出力用の電極を構成している。
【００６３】
ところで、第１の通信装置２０は、湿度センサ１００から湿度情報を受信するとともに噴霧器制御信号を噴霧器１１０へ送信する必要があるから、図１４に示すように、湿度センサ１００および噴霧器１１０との接続のためのインタフェイス２５が設けられており、インタフェイス２５を介して湿度センサ１００からの湿度情報をマイクロコンピュータからなる制御部２３が読み込むことができ、インタフェイス２５を介して噴霧器制御信号を送信できるようになっている。また、第１の通信装置２０は、上述の接触電極２１を備えるとともに、接触電極２１を介して情報を通信するデータ通信部２２や、グランド（回路グランド若しくは第１の通信装置２０の筐体若しくは外部導体など）に接続することが可能な接地端子（図示せず）を備えている。なお、大地と接続するための接地端子は必ずしも設ける必要はなく、接地端子を設けない場合は容量結合が中心となる。なお、第１の通信装置２０の電源としては電池２４を用いている。
【００６４】
データ通信部２２は、制御部２３と接触電極２１との間に設けられており、制御部２３にて湿度センサ１００から読み込んだ湿度情報を変調器２２ａにて変調し、変調された湿度情報を信号送信器２２ｂから接触電極２１を介して送信するようになっている。また、データ通信部２２は、主制御装置１０から送信される制御情報を信号受信器２２ｃにて受信して復調器２２ｄにて復調し制御部２３で読み込むようになっている。なお、データ通信部２２は、主通信装置１０へ湿度情報を送信する機能と主通信装置１０から制御情報を受信する機能とを備えているから、接触電極２１を信号送信器２２ｂと信号受信器２２ｃとのいずれか一方に選択的に接続する信号切替部２２ｅが設けられている。
【００６５】
上述した主通信装置１０と第１の通信装置２０とは、実施形態１と同様、図６に示すように、主通信装置１０を通信用電極（信号電極）１１が手首側に位置し通信用電極（接地電極）１２が肩側になるように人体Ｍに装着しておき、第１の通信装置２０に設けた接触電極２１に人体Ｍの指先や手を接触すると、通信用電極１１と接触電極２１との間の人体Ｍが伝送路として機能し、通信用電極１２と接地端子２６との間は人体Ｍを含むインピーダンスＺｘ（通信用電極１２と人体Ｍとの界面のインピーダンスＺ１＋人体ＭのインピーダンスＺ２＋人体Ｍと接地端子２６との間のインピーダンスＺ３（容量成分Ｃｘ））を介して結合されることになる。つまり、主通信装置１０と第１の通信装置２０との間にはインピーダンスＺｘの比較的小さいループ状の経路が形成され、第１の通信装置２０と主通信装置１０との一方から送信される変調信号を他方において受信することが可能になる。容量成分Ｃｘは接地端子２６と人体Ｍとの距離や周囲環境によって大きく変動し、また伝送路のインピーダンスＺｘは容量成分Ｃｘの大きさだけではなく人体Ｍでの発汗の程度によっても大きく変化するから、人体Ｍに流れる電流の上限が例えば５００μＡよりも小さくなるように設計される。
【００６６】
また、第２の通信装置３０は、図１５に示すように、情報処理手段３７が設けられており、接触電極３１およびデータ通信部３２を介してマイクロコンピュータからなる制御部３３が受信した湿度情報を情報処理手段３７へ集めて全ての湿度情報の収集が終了した後、情報処理手段３７が湿度情報に基づいて噴霧器１１０を制御するためお制御情報を作成し制御部３３からデータ通信部３２を介して主通信装置１０へ送信するようになっている。また、第２の通信装置３０は、グランド（回路グランド若しくは第２の通信装置３０の筐体若しくは外部導体など）に接続することが可能な接地端子（図示せず）を備えている。なお、大地と接続するための接地端子は必ずしも設ける必要はなく、接地端子を設けない場合は容量結合が中心となる。なお、第２の通信装置３０の電源としては電池３４を用いている。
【００６７】
データ通信部３２は、制御部３３と接触電極３１との間に設けられており、主制御装置１０から送信される湿度情報を信号受信器３２ｅにて受信して復調器３２ｂにて復調し制御部３３で読み込むようになっている。また、制御部３３にて情報処理手段３７から読み込んだ制御情報を変調器３２ｃにて変調し、変調された制御情報を信号送信器３２ｄから接触電極３１を介して送信するようになっている。なお、データ通信部３２は、主通信装置１０から湿度情報を受信する機能と主通信装置１０へ制御情報を送信する機能とを備えているから、接触電極３１を信号受信器３２ａと信号送信器３２ｄとのいずれか一方に選択的に接続する信号切替部３２ｅが設けられている。
【００６８】
また、主通信装置１０と第２の通信装置３０とは、上述のように主通信装置１０を通信用電極（信号電極）１１が手首側に位置し通信用電極（接地電極）１２が肩側になるように人体Ｍに装着しておき、第２の通信装置３０に設けた接触電極３１に人体Ｍの指先や手を接触すると、通信用電極１１と接触電極３１との間の人体Ｍが伝送路として機能し、通信用電極１２と上記接地端子との間は人体Ｍを含むインピーダンスＺｘ（通信用電極１２と人体Ｍとの界面のインピーダンスＺ１＋人体ＭのインピーダンスＺ２＋人体Ｍと上記接地端子との間のインピーダンスＺ３（容量成分Ｃｘ））を介して結合されることになる。つまり、主通信装置１０と第２の通信装置３０との間にはインピーダンスＺｘの比較的小さいループ状の経路が形成され、主通信装置１０と第２の通信装置３０との一方から送信される変調信号を他方において受信することが可能になる。容量成分Ｃｘは接地端子と人体Ｍとの距離や周囲環境によって大きく変動し、また伝送路のインピーダンスＺｘは容量成分Ｃｘの大きさだけではなく人体Ｍでの発汗の程度によっても大きく変化するから、人体Ｍに流れる電流の上限が例えば５００μＡよりも小さくなるように設計される。
【００６９】
以上説明した本実施形態の情報伝送システムの動作を簡単にまとめると以下のようになる。まず、主通信装置１０を装着した店員（人体Ｍ）が接触電極２１に接触すると（例えば、指先を触れると）、第１の通信装置２０から主通信装置１０へ湿度センサ１００の出力に応じた湿度情報が伝送され、主通信装置１０の記憶部１４に湿度情報が記憶される。所望の湿度センサ１００の湿度情報を主通信装置１０の記憶部１４に記憶させ終えた後、第１の通信装置２０から離れた場所に設置されている第２の通信装置３０のところへ主通信装置１０を装着した店員（人体Ｍ）が移動し、この店員が接触電極３１に接触すると（例えば、指先が触れると）、主通信装置１０から第２の通信装置３０へ湿度情報が伝送される。主通信装置１０から第２の通信装置３０への湿度情報の伝送が終了すると、第２の通信装置３０において制御情報が作成され第２の通信装置３０から主通信装置１０へ制御情報が伝送される。その後、この店員が第１の通信装置２０のところへ戻って、接触電極２１に接触すると、主通信装置１０から第１の通信装置２０へ制御情報が伝送され、第１の通信装置１０から噴霧器１１０へ噴霧器制御信号が送信されて、噴霧器１１０の噴霧量が調節されるのである。
【００７０】
しかして、本実施形態の情報伝送システムでは、人体Ｍに装着された主通信装置１０の記憶部１４を介して第１の通信装置２０から第２の通信装置３０へ情報が伝送されるから、ネットワークを構築する場合に比べて簡便かつ確実に情報を伝送することが可能になる。要するに、主通信装置１０を装着した店員（人体Ｍ）が第１の通信装置２０の接触電極２１へ接触した後に第２の通信装置３０の接触電極３１へ接触し、続いて第１の通信装置２０の接触電極２１へ接触することにより、植物の周囲の湿度が調節されるので、店員の簡易な行為で湿度調節が可能となるのである。また、湿度情報に基づいて噴霧量を計算するにあたって、湿度情報を人が入力する必要がないから、湿度情報が誤って入力されることが防止される。また、第１の通信装置２０自体は、湿度情報の出力と制御情報の入力だけで噴霧量を決定するための計算は第２の通信装置３０で行わせているので、全てを１台で行う場合に比べてコストを安くすることができ、複数の湿度センサ１００、噴霧器１１０を設けて、第２の通信装置３０で集中して計算し制御情報を作成するシステムの構築が可能である。
【００７１】
なお、上記各実施形態では、主通信装置１０の筐体Ａを腕時計型の形状としているが、主通信装置１０の筐体Ａの形状は特に限定するものではなく、通信用電極１１，１２の向きが同じであれば指輪型、腕輪型などの形状としてもよい。
【００７２】
【発明の効果】
請求項１の発明は、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、第１の通信装置に接続されたセンサを有し、第１の通信装置から主通信装置へ送信する情報はセンサの出力に応じた情報であり、第２の通信装置に外部機器が接続され、受信した情報に基づいて外部機器を制御するものであり、人体に装着された主通信装置の記憶手段を介して第１の通信装置から第２の通信装置へ情報が伝送されるから、ネットワークを構築する場合に比べて簡便かつ確実に情報を伝送することが可能になるという効果があり、しかも、第１の通信装置および第２の通信装置の設置場所や設置数の変更が容易になるという利点がある。さらに、外部機器を制御するための情報を手操作で入力する必要がなく外部機器を容易に制御することができるという効果がある。その上、人体が第１の接触部および第２の接触部に触れるような簡単な行為により、センサの出力に応じて外部機器を制御することができるという効果がある。
【００７３】
請求項２の発明は、請求項１の発明において、前記センサが温度センサからなるとともに、前記外部機器が空調機器からなり、前記第１の通信装置から前記主通信装置の前記記憶手段を介して前記第２の通信装置へ伝送される温度情報に基づいて前記第２の通信手段が空調機器へ空調機器制御信号を与えるので、ネットワークを構築することなく複数の温度センサの出力に基づいた空調機器の制御が可能となるという効果がある。
【００７４】
請求項３の発明は、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、主通信装置は、記憶手段に記憶した情報を所定時間が経過すると消去するものであり、人体に装着された主通信装置の記憶手段を介して第１の通信装置から第２の通信装置へ情報が伝送されるから、ネットワークを構築する場合に比べて簡便かつ確実に情報を伝送することが可能になるという効果があり、しかも、第１の通信装置および第２の通信装置の設置場所や設置数の変更が容易になるという利点がある。さらに、記憶手段に記憶した情報の漏洩を防止することができ、情報のセキュリティを高めることができるという効果がある。
【００７５】
請求項４の発明は、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、主通信装置は、記憶手段に記憶した情報を送信した後に消去するものであり、人体に装着された主通信装置の記憶手段を介して第１の通信装置から第２の通信装置へ情報が伝送されるから、ネットワークを構築する場合に比べて簡便かつ確実に情報を伝送することが可能になるという効果があり、しかも、第１の通信装置および第２の通信装置の設置場所や設置数の変更が容易になるという利点がある。さらに、記憶手段に記憶した情報の漏洩を防止することができ、情報のセキュリティを高めることができるという効果がある。
【００７６】
請求項５の発明は、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、第２の通信装置には外部機器として電気錠が接続され、第１の通信装置には電気錠に対応付けられた鍵情報を記憶した鍵管理装置が接続され、人体が第１の接触部に接触したときに第１の通信装置から主通信装置へ送信される情報が鍵情報であり、人体が第２の接触部に接触したときに第２の通信装置が主通信装置から鍵情報を受信して電気錠へ電気錠制御信号を与えるものであり、人体に装着された主通信装置の記憶手段を介して第１の通信装置から第２の通信装置へ情報が伝送されるから、ネットワークを構築する場合に比べて簡便かつ確実に情報を伝送することが可能になるという効果があり、しかも、第１の通信装置および第２の通信装置の設置場所や設置数の変更が容易になるという利点がある。さらに、鍵を持たなくても主通信装置を装着していれば複数の人が電気錠の設置された部屋や入室することが可能となり、利便性が向上するという効果がある。
【００７７】
請求項６の発明は、情報を記憶する記憶手段および情報の入出力用の電極を有し人体に装着される主通信装置と、人体が接触可能な第１の接触部を有し人体が第１の接触部に接触したときに伝送路の少なくとも一部に人体を用いて主通信装置へ情報を送信する第１の通信装置と、人体が接触可能な第２の接触部を有し人体が第２の接触部に接触したときに伝送路の少なくとも一部に人体を用いて主通信装置からの情報を受信する第２の通信装置とを備え、第１の通信装置から主通信装置の記憶手段を介して第２の通信装置へ情報を伝送可能としてなる情報伝送システムであって、主通信装置は、電極として、人体に装着したときに人体に直接接触し、人体を介して大地と電気的に接続される接地電極と、接地電極と離間して配置され、人体に直接接触する信号電極とを備え、第１の接触部若しくは第２の接触部と信号電極との間の人体経路と、接地電極と人体と、大地若しくは第１の通信装置或いは第２の通信装置側のグランドとの経路で信号伝送路を形成するものであり、人体に装着された主通信装置の記憶手段を介して第１の通信装置から第２の通信装置へ情報が伝送されるから、ネットワークを構築する場合に比べて簡便かつ確実に情報を伝送することが可能になるという効果があり、しかも、第１の通信装置および第２の通信装置の設置場所や設置数の変更が容易になるという利点がある。さらに、主通信装置を小型にでき、且つ、情報伝送の信頼性を高めることができるという効果がある。
【００７８】
請求項７の発明は、請求項３または４または６の発明において、前記第１の通信装置と前記第２の通信装置との少なくとも一方に外部機器が接続され、受信した情報に基づいて外部機器を制御するので、外部機器を制御するための情報を手操作で入力する必要がなく外部機器を容易に制御することができるという効果がある。
【００７９】
請求項８の発明は、請求項３または５の発明において、前記主通信装置にはあらかじめ識別情報が設定されており、前記主通信装置は、前記人体が前記第１の接触部に接触すると前記第１の通信装置へ識別情報を送信し、前記第１の通信装置は、前記主通信装置からの識別情報が第１の規定条件を満たしたときに前記主通信装置へ情報を送信し、さらに、前記第２の通信装置には、あらかじめ他の識別番号が設定されており、前記第２の通信装置は、前記人体が前記第２の接触部に接触すると前記主通信装置へ他の識別番号を送信し、前記主通信装置は、前記第２の通信装置からの他の識別番号が第２の規定条件を満たしたときに前記第２の通信装置へ情報を送信するので、システムのセキュリティを高めることができるという効果がある。
【００８０】
請求項９の発明は、請求項４または６の発明において、前記第２の通信装置に、前記人体が前記第２の接触部に接触したときに前記主通信装置へ情報を送信する手段を付加するとともに、前記第１の通信装置に、前記人体が前記第１の接触部に接触したときに前記主通信装置から情報を受信する手段を付加し、前記第２の通信装置から前記主通信装置の記憶手段を介して前記第１の通信装置へ情報を伝送可能としてあるので、前記第１の通信装置と前記第２の通信装置との間で前記主通信装置を介して双方向通信を行うことができるという効果がある。
【００８１】
請求項１０の発明は、請求項９の発明において、前記第２の通信装置は、前記主通信装置から受信した情報に基づいて前記主通信装置へ送信する情報を生成する情報処理手段を有するので、前記第２の通信装置の情報処理手段にて生成した情報が前記第２の通信装置へ伝送されるから、前記第１の通信装置の構成を簡略化することができ、前記第１の通信装置を複数設けるような場合に低コスト化を図ることができるという効果がある。
【図面の簡単な説明】
【図１】実施形態１を示す概略構成図である。
【図２】同上に用いる主通信装置のブロック図である。
【図３】同上に用いる第１の通信装置のブロック図である。
【図４】同上に用いる第２の通信装置のブロック図である。
【図５】同上に用いる主通信装置の概観を示す斜視図である。
【図６】同上の原理説明図である。
【図７】実施形態２を示す概略構成図である。
【図８】同上に用いる第１の通信装置のブロック図である。
【図９】同上に用いる第２の通信装置のブロック図である。
【図１０】実施形態３を示す概略構成図である。
【図１１】同上に用いる第１の通信装置のブロック図である。
【図１２】同上に用いる第２の通信装置のブロック図である。
【図１３】実施形態４を示す概略構成図である。
【図１４】同上に用いる第１の通信装置のブロック図である。
【図１５】同上に用いる第２の通信装置のブロック図である。
【符号の説明】
１０  主通信装置
２０  第１の通信装置
３０  第２の通信装置
４０  計量装置
５０  金銭計算器（レジ）
Ｍ  人体
【図１】
0004069668.tif 000002
【図２】
0004069668.tif 000003
【図３】
0004069668.tif 000004
【図４】
0004069668.tif 000005
【図５】
0004069668.tif 000006
【図６】
0004069668.tif 000007
【図７】
0004069668.tif 000008
【図８】
0004069668.tif 000009
【図９】
0004069668.tif 000010
【図１０】
0004069668.tif 000011
【図１１】
0004069668.tif 000012
【図１２】
0004069668.tif 000013
【図１３】
0004069668.tif 000014
【図１４】
0004069668.tif 000015
【図１５】
0004069668.tif 000016